(57)【特許請求の範囲】
【請求項１】
シートが載置される載置台と、前記載置台に載置されたシートを読み取るシート読取部と、を有する読取ユニットと、
前記載置台に載置されたシートを前記載置台に押圧する圧板部を有し、前記読取ユニットに回動軸を中心に開閉可能に支持されると共に前記読取ユニットの上方に配置される圧板ユニットと、
前記読取ユニットと前記圧板ユニットとを電気的に接続するケーブルが収納されるケーブルガイドと、を備え、
前記圧板ユニットは、前記ケーブルガイドが収納される空間を形成する切欠き部と、
前記切欠き部から下方に延び、かつ前記空間の一部を遮蔽して前記圧板ユニットの外装の一部を構成する外壁部と、を有し、
前記外壁部は、前記圧板ユニットが開閉される際に、前記読取ユニットに干渉しないように構成され、
前記ケーブルガイドは、前記圧板ユニットに連結される上取付部と、前記読取ユニットに連結される下取付部と、上下方向において前記上取付部と前記下取付部との間に位置し前記回動軸よりも前記載置台の側に屈曲する屈曲部と、を有する、
ことを特徴とする画像読取装置。
【請求項２】
前記読取ユニットは、閉状態における前記圧板ユニットの前記外壁部の直下方において、前記外壁部の回動軌跡に干渉しないように、前記外壁部に向けて上方に延びる突起部を有する、
ことを特徴とする請求項１に記載の画像読取装置。
【請求項３】
前記回動軸と前記外壁部の前記回動軸から最も遠い外壁端部との距離は、前記回動軸と前記読取ユニットの上面との距離よりも短い、
ことを特徴とする請求項１又は２に記載の画像読取装置。
【請求項４】
前記回動軸と前記外壁部の前記回動軸から最も遠い外壁端部との距離は、前記回動軸と前記突起部の上面との距離よりも短く設定され、
前記外壁部の下面及び前記突起部の上面の少なくともいずれか一方は、前記載置台から遠い外側の端部から内側の端部に向けて下方に傾斜する傾斜面を有する、
ことを特徴とする請求項２に記載の画像読取装置。
【請求項５】
前記回動軸と前記外壁部の前記回動軸から最も遠い外壁端部との距離は、前記回動軸と前記突起部の上面との距離よりも短く設定され、
前記外壁部の下面及び前記突起部の上面の少なくともいずれか一方は、前記載置台から遠い外側の端部より内側の端部のほうが下方に配置される湾曲面を有する、
ことを特徴とする請求項２に記載の画像読取装置。
【請求項６】
シートが載置される載置台と、前記載置台に載置されたシートを読み取るシート読取部と、を有する読取ユニットと、
前記載置台に載置されたシートを前記載置台に押圧する圧板部を有し、前記読取ユニットに回動軸を中心に開閉可能に支持されると共に前記読取ユニットの上方に配置される圧板ユニットと、
前記読取ユニットと前記圧板ユニットとを電気的に接続するケーブルが収納されるケーブルガイドと、を備え、
前記圧板ユニットは、前記ケーブルガイドが収納される空間を形成する切欠き部を有し、
前記読取ユニットは、閉状態における前記圧板ユニットの前記切欠き部の直下方において前記切欠き部の回動軌跡に干渉しないように上方に延び、かつ前記空間の一部を遮蔽して前記読取ユニットの外装の一部を構成する突起部を有し、
前記突起部は、前記圧板ユニットが開閉される際に、前記圧板ユニット及び前記ケーブルガイドに干渉しないように構成され、
前記ケーブルガイドは、前記圧板ユニットに連結される上取付部と、前記読取ユニットに連結される下取付部と、上下方向において前記上取付部と前記下取付部との間に位置し前記回動軸よりも前記載置台の側に屈曲する屈曲部と、を有する、
ことを特徴とする画像読取装置。
【請求項７】
前記読取ユニットには、前記回動軸を中心に開閉可能に前記圧板ユニットを支持するヒンジ部が取り付けられ、
前記ヒンジ部は、前記読取ユニットに取り付けられる基台と、前記圧板ユニットに取り付けられる可動部と、一端が前記基台と前記回動軸を中心に回動自在に連結され、他端が前記可動部と回動自在に連結される中継アームと、を有し、前記空間に収納される、
ことを特徴とする請求項１乃至６のいずれか１項に記載の画像読取装置。
【請求項８】
前記読取ユニットは、搬送されるシートの画像を前記シート読取部が読取り可能な透明部材を有し、
前記圧板ユニットは、シートを自動的に前記透明部材に搬送する自動原稿送り装置である、
ことを特徴とする請求項１乃至７のいずれか１項に記載の画像読取装置。
【発明の詳細な説明】
【技術分野】
【０００１】
本発明は、シートの画像を読み取る画像読取装置に関する。
【背景技術】
【０００２】
従来、自動的に原稿をプラテンガラスに給送する自動原稿送り装置（ＡＤＦ）と、プラテンガラス上を搬送される原稿の画像を読み取るスキャナ本体と、を有する画像読取装置が知られている。ＡＤＦは、スキャナ本体に開閉可能に支持されており、例えば原稿を給送するローラを駆動させるための電力を必要とする。そのため、画像読取装置は、ＡＤＦ及びスキャナ本体を電気的に接続するケーブルを有し、このケーブルによってスキャナ本体からＡＤＦに電力を供給している。
【０００３】
従来、スキャナ本体の上方に設けられたＡＤＦの開閉動作時に、ＡＤＦとケーブルとが接触しないように、ケーブルを収納しつつ案内するケーブルガイドを設けた画像読取装置が提案されている（特許文献１参照）。
【先行技術文献】
【特許文献】
【０００４】
【特許文献１】特開２００９−２１６８２８号公報
【発明の概要】
【発明が解決しようとする課題】
【０００５】
特許文献１に記載の画像読取装置は、図７に示すように、ＡＤＦ１１２が開閉動作時にケーブルガイド及びスキャナ本体１１１に干渉しないように、ヒンジ部の近傍に開口部１１３，１１４が設けられている。このため、異物が開口部１１３，１１４から侵入し、ケーブルガイド付近に異物が引っかかり、ＡＤＦ１１２が開閉できなくなるという問題があった。
【０００６】
そこで、本発明は、ケーブルガイドが収納される空間の一部を遮蔽するように構成し、上述した課題を解決する画像読取装置を提供することを目的とする。
【課題を解決するための手段】
【０００７】
本発明は、画像読取装置において、シートが載置される載置台と、前記載置台に載置されたシートを読み取るシート読取部と、を有する読取ユニットと、前記載置台に載置されたシートを前記載置台に押圧する圧板部を有し、前記読取ユニットに回動軸を中心に開閉可能に支持されると共に前記読取ユニットの上方に配置される圧板ユニットと、前記読取ユニットと前記圧板ユニットとを電気的に接続するケーブルが収納されるケーブルガイドと、を備え、前記圧板ユニットは、前記ケーブルガイドが収納される空間を形成する切欠き部と、前記切欠き部から下方に延び、かつ前記空間の一部を遮蔽して前記圧板ユニットの外装の一部を構成する外壁部と、を有し、前記外壁部は、前記圧板ユニットが開閉される際に、前記読取ユニットに干渉しないように構成され、前記ケーブルガイドは、前記圧板ユニットに連結される上取付部と、前記読取ユニットに連結される下取付部と、上下方向において前記上取付部と前記下取付部との間に位置し前記回動軸よりも前記載置台の側に屈曲する屈曲部と、を有する、ことを特徴とする。
【０００８】
また、本発明は、画像読取装置において、シートが載置される載置台と、前記載置台に載置されたシートを読み取るシート読取部と、を有する読取ユニットと、前記載置台に載置されたシートを前記載置台に押圧する圧板部を有し、前記読取ユニットに回動軸を中心に開閉可能に支持されると共に前記読取ユニットの上方に配置される圧板ユニットと、前記読取ユニットと前記圧板ユニットとを電気的に接続するケーブルが収納されるケーブルガイドと、を備え、前記圧板ユニットは、前記ケーブルガイドが収納される空間を形成する切欠き部を有し、前記読取ユニットは、閉状態における前記圧板ユニットの前記切欠き部の直下方において前記切欠き部の回動軌跡に干渉しないように上方に延び、かつ前記空間の一部を遮蔽して前記読取ユニットの外装の一部を構成する突起部を有し、前記突起部は、前記圧板ユニットが開閉される際に、前記圧板ユニット及び前記ケーブルガイドに干渉しないように構成され、前記ケーブルガイドは、前記圧板ユニットに連結される上取付部と、前記読取ユニットに連結される下取付部と、上下方向において前記上取付部と前記下取付部との間に位置し前記回動軸よりも前記載置台の側に屈曲する屈曲部と、を有する、ことを特徴とする。
【発明の効果】
【０００９】
本発明によると、ケーブルガイドが収納される空間の一部を遮蔽し、かつ圧板ユニットが開閉する際に、読取ユニット及びケーブルガイドに干渉しないように外壁部又は突起部が構成される。そのため、ケーブルガイド周辺に異物が侵入するのを防ぐことができ、確実に圧板ユニットを開閉することができる。
【図面の簡単な説明】
【００１０】
【図１】本発明の第１の実施の形態に係る画像読取装置を示す斜視図。
【図２】画像読取装置の外壁部及び突起部を示す側面断面図。
【図３】ＡＤＦが開状態の時の画像読取装置の外壁部及び突起部を示す側面断面図。
【図４】本発明の第２の実施の形態に係るＡＤＦが開状態の時の画像読取装置の外壁部及び突起部を示す側面断面図。
【図５】本発明の第３の実施の形態に係るＡＤＦが開状態の時の画像読取装置の外壁部及び突起部を示す側面断面図。
【図６】一部変形した本発明の第１の実施の形態に係る画像読取装置を示す断面図。
【図７】従来の画像読取装置のヒンジ部近傍の外装を示す斜視図。
【発明を実施するための形態】
【００１１】
＜第１の実施の形態＞
以下、図面に沿って、本発明の第１の実施の形態について説明する。画像読取装置１は、図１に示すように、原稿が載置される原稿載置ガラス１０５（載置台）と、原稿載置ガラス１０５に載置された原稿を読み取る原稿読取部１０６（シート読取部）と、を有する読取ユニット１０１を備える。また、読取ユニット１０１は、原稿載置ガラス１０５と並んで配置された透明部材であるプラテンガラス１０７を有する。
【００１２】
さらに画像読取装置１は、ヒンジ部１０３，１０４を介して、読取ユニット１０１に開閉可能に支持される自動原稿送り装置１０２（圧板ユニット、以下、ＡＤＦと称する）を有している。ＡＤＦ１０２は、原稿が載置される原稿送り台１０２ａと、原稿送り台１０２ａに載置された原稿を給送する不図示の給送ローラと、原稿載置ガラス１０５に載置された原稿を押圧する圧板部２と、を有している。
【００１３】
画像読取装置１は、ユーザによって選択された流し読みモード及び固定読みモードのいずれか一方の方法によって原稿の画像を読み取ることができる。流し読みモードの場合には、原稿送り台１０２ａに載置された原稿が、不図示の給送ローラによってプラテンガラス１０７に向けて自動的に給送される。この時、原稿読取部１０６は、プラテンガラス１０７の下方に位置決めされており、プラテンガラス１０７上を搬送される原稿の画像を光学的に走査して読み取る。
【００１４】
また、固定読みモードの場合には、まずユーザは、ＡＤＦ１０２を開き、原稿載置ガラス１０５に原稿を載置する。そして、ユーザは、ＡＤＦ１０２を閉じることで、ＡＤＦ１０２の下面に形成された圧板部２によって原稿を押圧し、原稿の位置ずれを防止する。原稿載置ガラス１０５に載置された原稿の画像は、原稿載置ガラス１０５の下方において原稿載置ガラス１０５に対して平行に移動する原稿読取部１０６によって、光学的に走査されて読み取られる。
【００１５】
次に、画像読取装置１のヒンジ部近傍の構成について説明する。なお、ヒンジ部１０３，１０４の周辺の構成は、略同一構成からなるので、ヒンジ部１０３側のみを説明し、ヒンジ部１０４側の説明は省略する。
【００１６】
ヒンジ部１０３は、図２に示すように、読取ユニット１０１に固定される基台２０１と、ＡＤＦ１０２に固定される可動部２０２と、基台２０１及び可動部２０２の間に連結される中継アーム２０３と、を有する。中継アーム２０３は、一端が軸２０４（回動軸）を介して基台２０１に回動自在に連結され、他端が軸２０５を介して可動部２０２に回動自在に連結される。基台２０１は、読取ユニット１０１の上面に設けられた取付面１１に固定され、可動部２０２は、ＡＤＦ１０２の下面において上方に向かって窪む切欠き部１０に固定される。
【００１７】
切欠き部１０及び取付面１１に挟まれて形成される空間Ｓには、ヒンジ部１０３に加えて、読取ユニット１０１及びＡＤＦ１０２を電気的に接続するケーブル２０８が収納されるケーブルガイド２０９が収納されている。ケーブルガイド２０９は、ケーブルガイド２０９の下部を構成する第１ガイド部材３と、ケーブルガイド２０９の上部を構成する第２ガイド部材５と、を備え、第１ガイド部材３及び第２ガイド部材５は内部にケーブル２０８が挿入可能な中空形状になっている。第１ガイド部材３は、軸部６（下取付部）によって取付面１１に回動自在に連結され、第２ガイド部材５は、軸部７（上取付部）によって切欠き部１０に固定される可動部２０２の内側に設けられたリブ（不図示）に回動自在に連結される。第１ガイド部材３及び第２ガイド部材５は、軸部９（屈曲部）を介して回動自在に連結されており、軸部９は、軸２０４よりも原稿載置ガラス１０５に近い側に配置される。このため、ケーブルガイド２０９は、上下方向において軸部６と軸部７との間に位置する軸部９にて屈曲した形状となる。
【００１８】
ここで、ＡＤＦ１０２について詳述する。ＡＤＦ１０２は、流し読みモード時の原稿の搬送方向と直交する方向において切欠き部１０の圧板部２とは反対側の端部から下方に延び、かつ空間Ｓの一部を遮蔽し、ＡＤＦ１０２の外装の一部を構成する外壁部１２を有する。外壁部１２の外方に露出される外面の下端部である外壁端部１３は、外壁部１２において軸２０４から最も遠い箇所であり、軸２０４と外壁端部１３との距離Ｌ１は、軸２０４と読取ユニット１０１の上面（例えば取付面１１）との距離Ｌ２よりも短い。
【００１９】
続いて、読取ユニット１０１について詳述する。読取ユニット１０１は、閉状態におけるＡＤＦ１０２の外壁部１２の直下方において、取付面１１から外壁部１２に向けて上方に延びる突起部１５を有する。外壁部１２と突起部１５は、ＡＤＦ１０２が閉状態の際には、外装面が面一となるように設けられている。軸２０４と突起部１５の表面との距離Ｌ３は、軸２０４と外壁端部１３との距離Ｌ１よりも長く設定されており、突起部１５は、ＡＤＦ１０２が回動することによる外壁部１２の回動軌跡に干渉しない。言い換えれば、軸２０４と外壁端部１３との距離Ｌ１は、軸２０４と突起部１５の表面との距離Ｌ３よりも短く設定されている。
【００２０】
第１の実施の形態は、以上のような構成からなるので、図３に示すように、例えば固定読みモードの際には、ユーザは、原稿載置ガラス１０５を露出させるために、軸２０４を中心にＡＤＦ１０２を上方向に回動させて開ける。この際、ＡＤＦ１０２の外壁端部１３は、軸２０４に対して、読取ユニット１０１の上面よりも近いので、外壁部１２は突起部１５よりも内側に入り込み、かつ読取ユニット１０１の上方を通る。これにより、ユーザは、読取ユニット１０１に干渉せずＡＤＦ１０２を開閉することができる。
【００２１】
また、ケーブルガイド２０９の軸部９は、軸２０４よりも原稿載置ガラス１０５側に配置されているので、軸２０４の直下に空間が生まれる。そして、図３に示すように、外壁部１２がこの空間に入り込むため、ユーザは、例えば外壁部１２と読取ユニット１０１との間にケーブルガイド２０９を挟み込むことなく、ＡＤＦ１０２を開けることができる。
【００２２】
このように画像読取装置１は、外壁部１２及び突起部１５を有するので、外壁部１２やケーブルガイド２０９を破損することなく、ケーブルガイド２０９が収納された空間Ｓに異物が侵入することを防ぐことができ、確実に圧板ユニットを開閉することができる。また、外壁部１２と突起部１５は、ＡＤＦ１０２が閉状態の際には、外装面が面一となるように設けられているため、画像読取装置１の外装面の凹凸を少なくすることができ、外観を向上することができる。
【００２３】
なお、外壁部１２と突起部１５との距離は、ＡＤＦ１０２の回動によって外壁部１２と突起部１５とが干渉しなければ、より０に近い方が異物の侵入を防ぐことができる。すなわち、軸２０４と外壁端部１３との距離Ｌ１は、軸２０４と突起部１５の表面との距離Ｌ３よりも短く、かつ距離Ｌ３により近しい値の方が好ましい。
【００２４】
そして、ユーザは、ＡＤＦ１０２を開けた後、露出した原稿載置ガラス１０５に原稿を載置する。更に、ユーザは、軸２０４を中心にＡＤＦ１０２を下方向に回動させて閉め、圧板部２によって原稿を原稿載置ガラス１０５に押圧し、原稿を位置決めする。この状態で、ユーザは、原稿の固定読みを開始する。
【００２５】
ヒンジ部１０３は、両端が軸２０４及び軸２０５によって回動自在に連結される中継アーム２０３と、この中継アームに軸２０５を介して連結される可動部２０２と、を有している。このため、原稿載置ガラス１０５に載置される原稿の厚みは、閉じた際の中継アーム２０３の仰角及び中継アーム２０３に対する可動部２０２の回動角によって吸収される。すなわち、厚い原稿に対しては、ＡＤＦ１０２を閉じた際の中継アーム２０３の仰角が大きくなり、薄い原稿に対しては、中継アーム２０３の仰角が小さくなる。また、中継アーム２０３の仰角の大きさに拘らず、可動部２０２を回動させ、圧板部２を原稿載置ガラス１０５に対して平行にすることができる。これにより、原稿載置ガラス１０５に載置された原稿の厚みに拘らず、圧板部２は、原稿の上面の全体を確実に押圧することができ、原稿の位置ずれを確実に防止することができる。なお、ケーブルガイド２０９における第１ガイド部材３と第２ガイド部材５との間の空間は、原稿載置ガラス１０５に原稿が載置されていない状態でも、外壁部１２の回動軌跡とケーブルガイド２０９とが干渉しないように設定されている。
【００２６】
＜第２の実施の形態＞
続いて、図４に沿って、本発明の第２の実施の形態について説明する。なお、第１の実施の形態と同様の構成については、図示を省略、又は図に同一符号を付して説明省略する。画像読取装置１Ａの読取ユニット１０１Ａは、閉状態におけるＡＤＦ１０２の外壁部１２の直下方において、取付面１１から外壁部１２に向けて上方に延びる突起部１５Ａを有する。
【００２７】
突起部１５Ａは、その上面を構成し、原稿載置ガラス１０５から遠い外側の端部１９から内側の端部２１に向けて下方に傾斜する傾斜面１６を有する。傾斜面１６は、軸２０４からの距離が端部１９において最も近くなるように形成されており、軸２０４と突起部１５Ａの表面との距離Ｌ４は、軸２０４と端部１９との距離である。そして、距離Ｌ４は、上述した軸２０４と外壁端部１３との距離Ｌ１よりも長く設定されているため、突起部１５Ａは、外壁部１２の回動軌跡に干渉しない。
【００２８】
本実施の形態では、上述したように、突起部１５Ａが傾斜面１６を有するので、突起部１５Ａの外側の端部１９を外壁端部１３に近づけることができる。これにより、第１の実施の形態よりも外壁部１２及び突起部１５Ａの間の隙間を小さくし、異物の侵入をより防ぐことができる。
【００２９】
また、突起部１５Ａは、外壁部１２の回動軌跡に干渉しない範囲において傾斜面１６の傾斜角度を緩やかにすることで、強度を向上することができる。この際、突起部１５Ａの基部が基台２０１に干渉しないように、図４に示すように、基台２０１に切欠き２０１ａを形成することで、傾斜面１６をより緩やかに傾斜させ、突起部１５Ａの強度をより向上することができる。
【００３０】
＜第３の実施の形態＞
続いて、図５に沿って、本発明の第３の実施の形態について説明する。なお、第２の実施の形態と同様の構成については、図示を省略、又は図に同一符号を付して説明省略する。画像読取装置１Ｂの読取ユニット１０１Ｂは、閉状態におけるＡＤＦ１０２の外壁部１２の直下方において、取付面１１から外壁部１２に向けて上方に延びる突起部１５Ｂを有する。
【００３１】
突起部１５Ｂは、その上面を構成すると共に、原稿載置ガラス１０５から遠い外側の端部３９より内側の端部４１のほうが下方に配置され、下方に窪んだ湾曲面３６を有する。湾曲面３６は、軸２０４を中心とした円弧状に形成されており、軸２０４と突起部１５Ｂの表面との距離Ｌ５は、軸２０４と湾曲面３６との距離である。そして、距離Ｌ５は、上述した軸２０４と外壁端部１３との距離Ｌ１よりも長く設定されているため、突起部１５Ｂは、外壁部１２の回動軌跡に干渉しない。
【００３２】
本実施の形態では、上述したように、突起部１５Ｂが下方に窪んだ湾曲面３６を有するので、突起部１５Ｂを外壁端部１３に近づけることができる。これにより、第１の実施の形態よりも外壁部１２及び突起部１５Ｂの間の隙間を小さくし、異物の侵入をより防ぐことができる。
【００３３】
また、本実施の形態は、突起部１５Ｂに軸２０４を中心とした円弧状の湾曲面３６を形成したので、ＡＤＦ１０２が開状態で保持された状態にあっても、外壁部１２と突起部１５Ｂとを近接して設けることができる。これにより、ＡＤＦ１０２が開状態においても、空間Ｓに異物が混入することを防止することができ、ＡＤＦ１０２の開閉に異物が邪魔になることが無く、ＡＤＦ１０２を確実に開閉することができる。
【００３４】
なお、第１乃至第３の実施の形態では、外壁部１２及び突起部１５を有する画像読取装置１，１Ａ，１Ｂについて説明したが、これに限定するものではない。すなわち、外壁部１２のみを有する画像読取装置１，１Ａ，１Ｂであっても本発明は適用可能である。また、突起部１５のみを有し、軸２０４と切欠き部１０の外方に露出される端部との距離が、軸２０４と読取ユニット１０１の上面との距離よりも短い画像読取装置１，１Ａ，１Ｂにも本発明は適用可能である。
【００３５】
本発明の第２及び第３の実施の形態では、突起部１５の上面が傾斜面１６又は湾曲面３６から構成される画像読取装置１Ａ，１Ｂについて説明したが、これに限定するものではない。すなわち、外壁部１２の下面が、圧板部２から遠い外側の端部から内側の端部に向けて下方に傾斜する傾斜面から構成されてもよい。また、外壁部１２の下面が、外側の端部より内部の端部のほうが下方に配置される膨らんだ湾曲面から構成されてもよい。
【００３６】
＜第１の実施の形態の変形例＞
ここで、図６に沿って、本発明の第１の実施の形態を一部変形させた画像読取装置１Ｃについて説明する。画像読取装置１Ｃは、外壁部１２及び突起部１５を有し、突起部１５の外方に露出される外面の上端部である突起端部５９は、突起部１５において軸２０４から最も遠い箇所である。軸２０４と突起端部５９との距離Ｌ６は、軸２０４とＡＤＦ１０２の下面（例えば外壁部１２の下面）との距離Ｌ７よりも短く設定されている。このため、画像読取装置１ＣのＡＤＦ１０２を開けた際、図６の二点鎖線に示したＡＤＦ１０２のように、外壁部１２が読取ユニット１０１の外側に移動し、ユーザは、読取ユニット１０１に干渉させずＡＤＦ１０２を開閉することができる。
【００３７】
なお、一部変形した本発明の第１の実施の形態では、外壁部１２及び突起部１５を有する画像読取装置１Ｃについて説明したが、これに限定するものではない。すなわち、外壁部１２のみを有し、軸２０４と取付面１１の外方に露出される端部との距離が、軸２０４とＡＤＦ１０２の下面との距離Ｌ７よりも短い画像読取装置１Ｃにも本発明は適用可能である。また、突起部１５のみを有し、軸２０４と端部５９との距離Ｌ６が、軸２０４とＡＤＦ１０２の下面との距離よりも短い画像読取装置１Ｃにも本発明は適用可能である。
【００３８】
一部変形した本発明の第１の実施の形態においては、突起部１５の上面を、原稿載置ガラス１０５から遠い外側の端部から内部の端部に向けて上方に傾斜する傾斜面から構成してもよい。また、突起部１５の上面を、外側の端部より内側の端部が上方に配置される膨らんだ湾曲面から構成してもよい。更に、外壁部１２の下面を、圧板部２から遠い外側の端部から内側の端部に向けて上方に傾斜する傾斜面から構成してもよい。また、外壁部１２の下面を、外側の端部より内側の端部が上方に配置される窪んだ湾曲面から構成してもよい。
【００３９】
なお、本発明の第１乃至第３の実施の形態におけるＡＤＦ１０２は、自動原稿送りの機能を有さない圧板ユニットであってもよい。例えばＡＤＦ１０２は、原稿送り台１０２ａを有さず、平板状に形成されてもよい。
【００４０】
また、上述した本発明の第１乃至第３の実施の形態では、ＡＤＦ１０２が原稿を給送し、この原稿の画像を原稿読取部１０６が読み取っていたが、これに限定されない。すなわち、ＡＤＦ１０２は、白紙や原稿、また紙に限らずプラスチックや金属等の他の素材から形成されるシートを給送してもよく、原稿読取部１０６は、このようなシートの画像を読み取ってもよい。
【符号の説明】
【００４１】
１，１Ａ，１Ｂ，１Ｃ：画像読取装置、２：圧板部、１０：切欠き部、１２：外壁部、１５，１５Ａ，１５Ｂ：突起部、１６：傾斜面、３６：湾曲面、１０１，１０１Ａ，１０１Ｂ：読取ユニット、１０２：圧板ユニット（自動原稿送り装置、ＡＤＦ）、１０５：載置台（原稿載置ガラス）、１０６：シート読取部（原稿読取部）、２０４：回動軸（軸）、２０８：ケーブル、２０９：ケーブルガイド、Ｌ１，Ｌ２，Ｌ３，Ｌ４，Ｌ５，Ｌ６，Ｌ７：距離、Ｓ：空間
【図１】
0006590604.tif 000002
【図２】
0006590604.tif 000003
【図３】
0006590604.tif 000004
【図４】
0006590604.tif 000005
【図５】
0006590604.tif 000006
【図６】
0006590604.tif 000007
【図７】
0006590604.tif 000008